(57)【特許請求の範囲】
【請求項１】
室内熱交換器及び送風機を有したユニット本体と、前記ユニット本体の下面に設けられ吹出口及び空気の吹き出す方向を規制する風向変更板を有する化粧パネルとを備え、前記化粧パネルには前記風向変更板を回動させる駆動モータを配設し、前記ユニット本体には前記駆動モータを制御する電装盤を設けた空気調和装置において、
空気調和装置が一方向カセット型であって、前記ユニット本体内が仕切り板によって前記送風機を収納する機械室と、前記室内熱交換器を収納する熱交換室とに区画され、前記機械室の側壁面に前記電装盤が取り付けられ、
前記化粧パネルの裏面に当該化粧パネルの４辺に沿うように上方向に突出する一対のリブが形成され当該リブ間に溝部が構成され、かつ前記裏面に前記室内熱交換器を受けるドレンパンの下面が接する凹部が形成されると共に、前記凹部と前記化粧パネルの吸込グリルとの間に閉鎖部が形成され、前記駆動モータから延出する配線材が前記溝部の溝内を通して配線され、前記閉鎖部を超えたあたりで前記溝部から導出され、前記化粧パネルの吸込グリルの一部を横切るように延出して前記電装盤に接続され、
前記４辺の溝部の開口縁部と前記ユニット本体との間に前記ユニット本体の外側に空気が漏れるのを防止するシール材を前記リブの全長に亘って介在させたことを特徴とする空気調和装置。
【請求項２】
前記シール材を前記溝部の開口縁部に接着したことを特徴とする請求項１に記載の空気調和装置。
【請求項３】
前記シール材を前記溝部の開口に嵌合させたことを特徴とする請求項１に記載の空気調和装置。
【請求項４】
前記ユニット本体は、下側に開口を有し前記開口の縁部にフランジ部を設けた筐体を備えており、前記筐体のフランジ部と前記溝部の開口縁部との間に前記シール材を介在させたことを特徴とする請求項１から請求項３のいずれかに記載の空気調和装置。
【発明の詳細な説明】
【技術分野】
【０００１】
本発明は、吹出す空気の向きを規制する風向変更板が駆動モータによって回動する機能を有する空気調和装置に関する。
【背景技術】
【０００２】
空気調和装置として一般的に知られている天井埋込形空気調和装置は、天井梁から吊下げられて被調和室内の空気を加熱または冷却する室内熱交換器及び送風機を収容したユニット本体と、ユニット本体の下部に取り付けられて被調和室の天井面に表出する化粧パネルとを備えている。化粧パネルは、被調和室内の空気をユニット本体の内部に吸込むための吸込口と、室内熱交換器で加熱または冷却した空気を被調和室内に向けて吹出すための吹出口とを有している（例えば、特許文献１参照）。
【０００３】
上述の吹出口には、回転軸を中心に回動可能に形成された風向変更板と、風向変更板の回転軸に連結されて風向変更板を回動させる駆動モータとが配設されており、室内に向けて吹出す空気の方向を風向変更板によって変更できるようになっている。駆動モータは、ユニット本体の内部にある電装盤に配線材によって接続されており、この電装盤からの信号によって駆動モータの始動または停止が制御されている。
【０００４】
他方、ユニット本体は、その外側部分を構成する箱型形状の筐体を備えている。この筐体は下側の全面が開口しており、この開口部分が化粧パネルで覆われるようになっている。この筐体の下端部と化粧パネルとの間には、ユニット本体の内部の空気が化粧パネルの吹出口以外から漏れるのを防止するためのシール材が設けられている。
【特許文献１】特開平１１−１５１８４７号公報
【発明の開示】
【発明が解決しようとする課題】
【０００５】
化粧パネルをユニット本体に取り付ける作業は、化粧パネル側にある駆動モータから延びる配線材を、ユニット本体側にある電装盤に接続した後に行われることになる。しかしながら、この配線材の長さは、取り付け作業を容易にするために駆動モータと電装盤との間の長さよりも長めに作られており、配線材の接続後に無作為に化粧パネルを取り付けた場合には配線材の配置位置が一定に定まらない。そのため、接続後の配線材が化粧パネルとユニット本体とが接する部分の間を通る場合には、配線材がユニット本体と化粧パネルとに挟まれてしまうおそれがあった。一方、この問題を解決するために、ユニット本体と化粧パネルとの間に配線材が通るだけの一定の隙間を設けておくことが考えられるが、空気調和装置の外形寸法が隙間の分だけ大きくなってしまうため得策ではない。
【０００６】
本発明は、上述した事情に鑑みてなされたものであり、外形寸法を大きくする必要がなく、かつ、駆動モータの配線材がユニット本体と化粧パネルとの間に挟まれることなく、化粧パネルをユニット本体に取り付けることができる空気調和装置を提供することを目的とする。
【課題を解決するための手段】
【０００７】
本発明に係る空気調和装置は、室内熱交換器及び送風機を有したユニット本体と、前記ユニット本体の下面に設けられ吹出口及び空気の吹き出す方向を規制する風向変更板を有する化粧パネルとを備え、前記化粧パネルには前記風向変更板を回動させる駆動モータを配設し、前記ユニット本体には前記駆動モータを制御する電装盤を設けた空気調和装置において、空気調和装置が一方向カセット型であって、前記ユニット本体内が仕切り板によって前記送風機を収納する機械室と、前記室内熱交換器を収納する熱交換室とに区画され、前記機械室の側壁面に前記電装盤が取り付けられ、前記化粧パネルの裏面に当該化粧パネルの４辺に沿うように上方向に突出する一対のリブが形成され当該リブ間に溝部が構成され、かつ前記裏面に前記室内熱交換器を受けるドレンパンの下面が接する凹部が形成されると共に、前記凹部と前記化粧パネルの吸込グリルとの間に閉鎖部が形成され、前記駆動モータから延出する配線材が前記溝部の溝内を通して配線され、前記閉鎖部を超えたあたりで前記溝部から導出され、前記化粧パネルの吸込グリルの一部を横切るように延出して前記電装盤に接続され、前記４辺の溝部の開口縁部と前記ユニット本体との間に前記ユニット本体の外側に空気が漏れるのを防止するシール材を前記リブの全長に亘って介在させたことを特徴とする。
【０００８】
この場合において、前記シール材を前記溝部の開口縁部に接着してもよい。
また、前記シール材を前記溝部の開口に嵌合させることもできる。
さらに、前記ユニット本体が、下側に開口を有し前記開口の縁部にフランジ部を設けた筐体を備えており、前記筐体のフランジ部と前記溝部の開口縁部との間に前記シール材を介在させることもできる。
【発明の効果】
【０００９】
本発明によれば、前記化粧パネルに前記駆動モータから前記電装盤側に向かって延びる溝部を設けているので、前記駆動モータと前記電装盤とが接続される配線材を前記溝部の溝内に装着することにより、化粧パネルとユニット本体との間に配線材が挟まれないように配線経路を定めることができる。また、前記溝部の開口縁部と前記ユニット本体との間に加熱または冷却した空気が前記ユニット本体の外側に漏れるのを防止するシール材を介在させているので、配線材に溝部から外れる方向へ力が作用したとしても配線材がシール材と当接することにより、配線材が溝部から外れないようにすることができる。この結果、空気調和装置の外形寸法を大きくする必要がなく、かつ、駆動モータの配線材がユニット本体と化粧パネルとの間に挟まれることなく、化粧パネルをユニット本体に取り付けることができる
【発明を実施するための最良の形態】
【００１０】
以下、本発明の実施の形態に係る空気調和装置について、図面を参照しながら説明する。なお、本実施の形態では、空気調和装置の一例である天井埋込形空気調和装置であって、一方向カセット型のものについて説明する。また、本実施の形態で説明のために使用する上下および左右などの方向は、空気調和装置を図２に示す状態で見たときの方向をいうものとする。
【００１１】
図１は、本発明の実施の形態に係る天井埋込形空気調和装置の外観を示す斜視図であり、図２はその側部断面図である。この空気調和装置１は、被調和室内から吸込んだ空気を加熱または冷却するための室内熱交換器等を収容したユニット本体１０と、ユニット本体１０の下側にねじで取り付けられる化粧パネル２０とを備えている。
【００１２】
ユニット本体１０は、外側部分を構成する筐体１１を備えている。この筐体１１は、板金を折り曲げ加工した直方体の箱形形状を成しており、下側の全面が開口している。筐体１１の側壁１１ａの下端部は、図２に示すように、水平方向外方に折り曲げられてフランジ部１１ｂが形成されている。筐体１１の側壁１１ａの外面には、図１に示すように、複数の吊り金具１２が設けられている。この吊り金具１２は、天井梁に取り付けられた吊下げボルト（図示せず）に連結されるようになっており、この吊り金具１２を吊下げボルトに連結することにより、ユニット本体１０が被調和室の天井空間内に配置されることになる。
【００１３】
筐体１１の内部は、図２に示すように、仕切り板３２によって機械室（右側の室）３０と熱交換室（左側の室）３１とに画成されている。機械室３０には、被調和室から吸込んだ空気を熱交換室３１に送風する送風機２と、筐体１１の内側の側壁面に取り付けられた電装盤６とが配設されている。他方、熱交換室３１には、機械室３０から送風された空気を加熱または冷却するための室内熱交換器３が配設されており、室内熱交換器３の下方には、結露水を受けるためのドレンパン３８が設けられている。このドレンパン３８の下面３８ａは、化粧パネル２０がユニット本体１０に取り付けられた状態で、ドレンパン３８の幅方向に亘って化粧パネル２０と接することになる。
【００１４】
化粧パネル２０は、筐体１１の下側の開口よりも大きい略四角形状に形成されており、図２に示すように、ユニット本体１０を天井４に挿入する際の天井穴５を天井４の下側から塞ぐようになっている。
【００１５】
化粧パネル２０には、機械室３０の下側に位置する部分に、被調和室内の空気を吸い込むための吸込口２１が形成されている。この吸込口２１には、フィルタ（図示せず）を支持する吸込グリル２４が着脱自在に配置されている。一方、熱交換室３１の下側に位置する部分には、室内熱交換器３によって加熱または冷却された空気を吹出すための吹出口２２が形成されている。この吹出口２２は、化粧パネル２０の一辺に沿って長穴形状に形成されており、この吹出口２２には、その長手方向に延在する風向変更板２５が設けられている。この風向変更板２５は、長手方向の両端部および中央部に回転軸２６を備えており、それぞれの回転軸２６が化粧パネル２０に回動可能に支持されている。
【００１６】
図３は、化粧パネル２０を裏側（空気調和装置の内部側）から見た状態を示す平面図である。化粧パネル２０の裏面２０ａには、化粧パネル２０の４辺に沿うように、裏面２０ａから上方向に突出する態様でリブ２７ａ，２７ｂが形成されている。このリブ２７ａ，２７ｂは、一定の間隔をあけて互いに平行に形成されており、リブ２７ａと２７ｂとの間には、上側に開口を有する溝部２８が構成されている。この溝部２８には、リブ２７ａとリブ２７ｂとを結ぶ補強部材２７ｃが適宜配設されている。
【００１７】
このリブ２７ａ，２７ｂは、図２に示すように、ユニット本体１０と化粧パネル２０とを組み付けたときに筐体１１のフランジ部１１ｂと溝部２８の開口とが対向する位置に設けられており、図３において、溝部２８が筐体１１の開口の形状とほぼ等しい矩形を成すように形成されている。
【００１８】
他方、化粧パネル２０には、図３に示すように、風向変更板２５の長手方向の端部に風向変更板２５を回動させるための駆動モータ４０が取り付けられている。この駆動モータ４０は、駆動モータ４０から延出する配線材４１が機械室３０内にある電装盤６に接続され、この電装盤６によって駆動モータ４０の始動または停止が制御される。配線材４１は、化粧パネル２０の閉鎖部２０ｂを越えるように、駆動モータ４０から電装盤６に向かって延びる溝部２８の内部に装着されており、配線材４１は、閉鎖部２０ｂを超えたあたりで溝部２８から外に導出され、吸引グリル２４の一部を横切るように延出して電装盤６に至る。このように、配線材４１の配線経路が一定に定められている。このような構成により、駆動モータ４０と電装盤６とは、空気調和装置１の対極に配置されることになる。
【００１９】
本実施の形態では、化粧パネル２０をユニット本体１０に取り付ける際に、化粧パネル２０とドレンパン３８の下面３８ａとが接する態様で取り付けられるので、駆動モータ４０から電装盤６までの配線経路のうち、ドレンパン３８のある部分について配線材４１を溝部２８の内部に装着している。配線材４１を装着する部分の溝部２８には、補強部材２７ｃは設けられていない。また、リブ２７ａ，２７ｂには、配線材４１を溝部２８の内部に入れるための切り欠きが適宜形成されている。
【００２０】
図４は、配線材４１が溝部２８に装着されている状態を示す概要図である。配線材４１が装着された溝部２８の開口縁部には、溝部の開口を覆うようにシール材４２が取り付けられている。詳細には、シール材４２は、リブ２７ａ，２７ｂの上端部に接着されており、リブ２７ａ，２７ｂの全長に亘って設けられている。一方、シール材４２の上側には、上述の筐体１１の下端にあるフランジ部１１ｂがシール材４２と接しており、シール材４２がリブ２７ａ，２７ｂと筐体１１との間に介在する態様になっている。このシール材４２は、筐体１１の内部の空気が吹出口２２以外から漏れないようにするためのものである。
【００２１】
本発明の実施の形態に係る空気調和装置によれば、化粧パネル２０をユニット本体１０に取り付ける際に、配線材４１がユニット本体１０と化粧パネル２０との間に挟まれるおそれのあるドレンパン３８の部分において配線材４１が溝部２８の内部に装着されて配線経路が一定に定められているので、配線材４１が化粧パネル２０とドレンパン３８とに挟まれるおそれがなくなる。また、シール材４２を筐体１１のフランジ部１１ｂとリブ２７ａ，２７ｂの先端部との間に介在させているので、配線材４１が溝部の外に外れるおそれがない。
【００２２】
以上、本発明を実施するための最良の形態について述べたが、本発明は既述の実施形態に限定されるものではなく、本発明の技術思想に基づいて各種の変形および変更が可能である。
例えば、本発明に係る空気調和装置に使用されるシール材４２は、リブ２７ａ，２７ｂに接着して取り付けているが、シール材４２の下側の形状を溝部２８の開口部の形状に合わせて形成することにより、溝部２８の開口部に嵌合させて取り付けることができる。これにより、シール材４２に接着シートなどの接着剤を使用することなく取り付けることができる。
【図面の簡単な説明】
【００２３】
【図１】本発明の実施の形態に係る空気調和装置の外観を示す斜視図である。
【図２】図１の断面図である。
【図３】本発明の実施の形態に係る空気調和装置に使用する化粧パネルを空気調和装置の内側から見た状態を示す平面図である。
【図４】配線材が溝部に装着されている状態を示す概要図である。
【符号の説明】
【００２４】
１  空気調和装置
２  送風機
３  室内熱交換器
４  天井
５  天井穴
６  電装盤
１０  ユニット本体
１１  筐体
１１ａ  側壁
１１ｂ  フランジ部
１２  吊り金具
２０  化粧パネル
２０ａ  裏面
２１  吸込口
２２  吹出口
２４  吸引グリル
２５  風向変更板
２６  回転軸
２７ａ，２７ｂ  リブ
２７ｃ  補強部材
２８  溝部
３０  機械室
３１  熱交換室
３２  仕切り板
３８  ドレンパン
３８ａ  下面
４０  駆動モータ
４１  配線材
４２  シール材
【図１】
0004739893.tif 000002
【図２】
0004739893.tif 000003
【図３】
0004739893.tif 000004
【図４】
0004739893.tif 000005